(57)【要約】【課題】複数条の溝部を有する屋根材上に機能パネルを設置する設置構造において、機能パネルの配線を伝う雨水が屋内へ浸入することを抑制できる構造を提案する。【解決手段】本発明の設置構造は、軒に沿った方向に複数条の溝部１０を有する屋根材１上に機能パネル２を配置する設置構造である。この設置構造は、屋根材１の棟側の端部を覆う棟包み３と、機能パネル２から引き出され且つ棟包み３の下方において屋根下へと引き込まれる配線４を覆う管状の配線カバー５と、配線カバー５の外周に嵌め込まれる固定部材６と、を備える。配線カバー５の棟側の端部は、固定部材６によって、棟包み３の下方に抜け止めされる。【選択図】図１
2014198954.tif 000002
【特許請求の範囲】
【請求項１】
軒に沿った方向に複数条の溝部を有する屋根材上に機能パネルを配置する設置構造であって、
前記屋根材の棟側の端部を覆う棟包みと、
前記機能パネルから引き出され且つ前記棟包みの下方において屋根下へと引き込まれる配線を覆う管状の配線カバーと、
前記配線カバーの外周に嵌め込まれる固定部材と、を備え、
前記配線カバーの棟側の端部は、前記固定部材によって、前記棟包みの下方に抜け止めされることを特徴とする設置構造。
【請求項２】
前記配線カバーは、長手方向に沿って大径部と小径部とを交互に複数備える蛇腹状であり、
前記固定部材は、前記配線カバーの複数の小径部のうちのいずれか１つに選択的に嵌め込まれることを特徴とする請求項１に記載の設置構造。
【発明の詳細な説明】
【技術分野】
【０００１】
本発明は、複数条の溝部を有する屋根材上に機能パネルを配置する設置構造に関する。
【背景技術】
【０００２】
特許文献１には従来の屋根構造が開示されている。この特許文献１記載の屋根構造は、ルーフデッキと、棟包板とを備えている。ルーフデッキは、凸部と凹部とが軒に沿った方向に交互に形成されている。棟包板は、ルーフデッキの棟側の端部を覆うようにして取り付けられている。
【０００３】
このような特許文献１記載の屋根構造は、ルーフデッキ上に、例えば、ＰＶパネル等の機能パネルが設置される場合がある。この場合、機能パネルの配線は、通常、ルーフデッキの凹部に沿って軒側に向かって配設され、屋内へと引き入れられる。
【０００４】
このとき、ルーフデッキの凹部内には、配線を覆うように配線カバーが取り付けられる。
【先行技術文献】
【特許文献】
【０００５】
【特許文献１】特開２００３−１３８６９５号公報
【発明の概要】
【発明が解決しようとする課題】
【０００６】
しかし、機能パネルの配線を軒側に向かって配設した場合、この配線を伝う雨水が、建物の配線引き入れ箇所を通じて屋内へと浸入するおそれがある。
【０００７】
そこで、上記事情を鑑みて、複数条の溝部を有する屋根材上に機能パネルを設置する設置構造において、機能パネルの配線を伝う雨水が屋内へ浸入することを抑制できる構造を提案することを課題とする。
【課題を解決するための手段】
【０００８】
上記課題を解決するために本発明の設置構造は、軒に沿った方向に複数条の溝部を有する屋根材上に機能パネルを配置する設置構造であって、前記屋根材の棟側の端部を覆う棟包みと、前記機能パネルから引き出され且つ前記棟包みの下方において屋根下へと引き込まれる配線を覆う管状の配線カバーと、前記配線カバーの外周に嵌め込まれる固定部材と、を備え、前記配線カバーの棟側の端部は、前記固定部材によって、前記棟包みの下方に抜け止めされることを特徴とする。
【０００９】
また、前記配線カバーは、長手方向に沿って大径部と小径部とを交互に複数備える蛇腹状であり、前記固定部材は、前記配線カバーの複数の小径部のうちのいずれか１つに選択的に嵌め込まれることが好ましい。
【発明の効果】
【００１０】
本発明の設置構造によれば、機能パネルから引き出される配線は、屋根材の棟側の端部を覆う棟包みの下方において屋根下へ引き込まれる。すなわち、本発明の設置構造では、機能パネルから配線を上方に引き出して、棟包みの下方にて配線を屋根下へと引き込ませることができる。これにより、本発明の設置構造では、雨水が機能パネルの配線を伝って建物の配線引き入れ箇所へと流れることがなく、機能パネルの配線を伝って雨水が屋内へ浸入することを抑制できる。
【００１１】
加えて、本発明の設置構造によれは、配線を覆う配線カバーの棟側の端部を、固定部材によって棟包み下方に抜け止めさせることで、配線カバーの棟側の端部が棟包みから外れて、配線が露出して雨水に曝されることを抑制することができる。
【図面の簡単な説明】
【００１２】
【図１】本発明の実施形態の設置構造の棟部分を示す斜視図である。
【図２】同上の設置構造を備える建物を示す斜視図である。
【図３】同上の設置構造の配線カバーと固定部材を示す図であり、（ａ）は分解斜視図であり、（ｂ）は分解側面図であり、（ｃ）は組み合わせた状態の側面図である。
【図４】同上の設置構造の棟部分を示す断面図である。
【発明を実施するための形態】
【００１３】
以下、本発明の実施形態について添付図面に基づいて説明する。
【００１４】
本実施形態の設置構造は、図２に示すように、片流れ屋根を有する建物の屋根材１上に、太陽光発電パネル等の機能パネル２を設置する設置構造である。なお、本実施形態において、屋根勾配方向は軒棟方向として定義される。屋根勾配方向のうち、水上側は棟側として定義され、水下側は軒側として定義される。また、屋根勾配方向に直角な軒に沿った方向は、軒方向として定義される。なお、屋根材１は、片流れ屋根により構成されたものでなくてもよく、例えば、切妻屋根や寄棟屋根などであってもよく、特に限定されない。
【００１５】
設置構造は、図１に示すように、屋根材１、機能パネル２、棟包み３、配線４を覆う配線カバー５、及び固定部材６を備える。
【００１６】
屋根材１は、屋根下地８（図４参照）上に設けられる。屋根下地８は、屋根勾配と略同じ角度で傾斜している。言い換えると、屋根下地８は、棟から軒に向かって下り傾斜している。
【００１７】
屋根下地８は、垂木（図示せず）と、野地板８１とを備えている。この垂木は、軒棟方向が長手方向となっている。前記垂木は、例えば、軒桁と母屋と棟木に支持されている。前記垂木は、軒方向に等間隔で複数設けられている。野地板８１は、前記垂木上に固定される。野地板８１は、軒棟方向および軒方向に長さを有しており、矩形板状に形成されている。野地板８１には、屋根材１の棟側の端部よりもさらに棟側に連通口８２が形成されている。
【００１８】
なお、屋根下地８は、前記垂木と野地板８１とを備えていなくてもよい。例えば、屋根下地８は、母屋と、母屋上に設置されたタイトフレームとを備えたものであってもよい。
【００１９】
屋根材１は、図２に示すように、軒方向に並ぶ複数条の溝部１０と、隣り合う溝部１０間に形成される凸部１１と、を備える。各溝部１０は、上方に開口し且つ下方に凹んでいる。各凸部１１は、下方に開口し且つ上方に突出している。凸部１１と溝部１０とは、軒方向に交互に形成されている。屋根材１は、軒棟方向が長手方向であり、軒方向が短手方向（幅方向）であり、平面視矩形状をしている。屋根材１の軒棟方向の長さは、屋根下地８の軒棟方向の長さより若干短い。屋根材１の軒方向の幅は、一定の長さとなっている。屋根材１は、軒方向に複数配置される。
【００２０】
隣り合う屋根材１同士は、連結具（図示せず）を介して接続される。この連結具は、例えば、ビスや釘などの固着具を介して野地板８１に固定されている。これにより屋根材１は、野地板８１に固定されている。また、前記連結具にはカバー部材１３が取り付けられる。カバー部材１３は、例えば、逆Ｕ字状をしている。カバー部材１３は、隣り合う屋根材１の対向する端部、及び前記連結具を覆うようにして配置される。
【００２１】
屋根材１は、例えば、ルーフデッキや、折板材などにより構成される。屋根材１は、断面角波状に形成されているが、断面丸波状に形成されてもよく、特に限定されない。また、屋根材１は、金属板により構成されており、より詳しくは、鋼板により構成されている。なお、屋根材１は、金属屋根材に限らず、例えばスレート屋根材であってもよい。
【００２２】
機能パネル７は、例えば、太陽光発電パネルであり、略矩形板状をしている。機能パネル７は、その棟側の端部が、棟包み３の軒側の端部から、軒棟方向に一定距離離間するように配される。機能パネル７の棟側の端部と、棟包み３の軒側の端部との距離は、配線カバー５の長さと略同じ長さか、またはそれよりも短く形成されている。機能パネル７には、配線４の一端が接続されている。
【００２３】
棟包み３は、屋根材１の棟側の端部を覆う。棟包み３は、軒方向が長手方向であり、且つ軒棟方向が短手方向（幅方向）であり、屋根材１の棟側の端部を軒方向の略全長に亘って覆う。棟包み３は、複数の棟包み３が軒方向に連結されたものであってもよく、屋根材１の軒方向の全長に亘る一体のものであってもよい。棟包み３は、例えば、金属板を曲げ加工することで形成される。
【００２４】
棟包み３の軒側の端部には、図４に示すように、前面部３０と折り返し片３２とを備えている。前面部３０は、軒側に臨み、屋根材１の凸部１１の頂面に対し略直角となっている。折り返し片３２は、前面部３０の下端から棟側上方に向けて突出している。前面部３０及び折り返し片３２は、屋根材１の凸部１１の頂面から離間している。また、棟包み３のうち、前面部３０よりも棟側の位置には、下方（屋根下地８側）に向けて突出する止水トラップ３１を備える。止水トラップ３１は、棟包み３の前面部３０と屋根材１との間の隙間から棟包み３内に吹き込んだ風によって運ばれる雨水が、さらに棟側へと移動することを抑制するためのものである。
【００２５】
本実施形態では、屋根材１の溝部１０のうち、棟包み３の下方（屋根下地８側）には、面戸７０と一体の止水トラップ７１と、止水トラップ７２とが配置される。止水トラップ７１，７２は上方（棟包み３側）に突出している。面戸７０は、溝部１０内に配されることで、溝部１０を軒棟方向に閉塞する。
【００２６】
面戸７０付きの止水トラップ７１は、面戸７０が棟包み３の前面部３０より少し棟側に位置するように溝部１０内に配される。止水トラップ７２は、面戸７０付きの止水トラップ７１よりも棟側に配される。止水トラップ７１、止水トラップ３１、止水トラップ７２は、この順に棟側へ並んでいる。これらの止水トラップ７１，３１，７２によって、棟包み３の前面部３０と屋根材１との間の隙間から棟包み３内に吹き込んだ風によって運ばれる雨水が、さらに棟側へと移動することが抑制される。
【００２７】
配線４は、太陽光発電パネルからなる機能パネル２で発電された電力を、屋内の電気機器等に送るための電線である。配線４は、機能パネル２から引き出されて、棟包み３の下方において連通口８２を通じて屋根下へと引き込まれる。
【００２８】
配線カバー５は、配線４を覆う管状のカバー材である。配線カバー５内には、機能パネル２から引き出された配線４が挿通される。配線カバー５は、可撓性を有している。配線カバー５は、例えば、合成樹脂により形成されたパイプにより構成されている。
【００２９】
本実施形態では、配線カバー５は、図３（ａ）〜図３（ｃ）に示すように、長手方向に沿って大径部５０と小径部５１とを交互に複数備える蛇腹状の円筒である。大径部５０の直径は、小径部５１の直径Ｌ１よりも大きい。配線カバー５は、長手方向の一端と他端がそれぞれ開口し、且つこの一端と他端が連通している。配線カバー５は、屋根材１の溝部１０内に、軒樋方向が長手方向となるように配される。配線カバー５の軒側の端部は、機能パネル２の配線４の引き出し箇所に接続されて、水が浸入しないように閉口される。なお、配線カバー５は、外周面が螺旋形状となった蛇腹状であることが好ましい。配線カバー５の複数の小径部５１のうちのいずれか１つには、図３（ｃ）に示すように、固定部材６が選択的に嵌め込まれる。
【００３０】
固定部材６は、図３（ａ）に示すように、配線カバー５が挿通される挿通孔６０を備える。本実施形態では、固定部材６は、略矩形板状であり、溝部１０内に収納可能に設けられている。なお、固定部材６は、溝部１０内に嵌め込まれて位置固定されるものであってもよい。
【００３１】
固定部材６は、図３（ｂ）に示すように、本体６１と、本体６１の両側面（軒側の面及び棟側の面）に取り付けられる一対のカバー材６２とを備える。本体６１は、腐食しにくく且つ風等の負荷によって塑性変形しない樹脂や、アルミ、硬質プラスチック等で形成される。各カバー材６２は、ナイロン、ＰＥＴ（ポリエチレンテレフタレート）等の、変形するが弾性を保持する薄い樹脂素材で形成される。各カバー材６２は、本体６１に固定されて取り付けられる。各カバー材６２を本体６１の両側面に取り付ける方法としては、接着固定、溶着固定、かしめ固定、リベット固定等、適宜選択可能である。
【００３２】
本体６１には、直径Ｌ２の円孔が形成され、各カバー材６２には、直径Ｌ３の円孔が形成されている。本体６１と各カバー材６２は、本体６１の円孔と各カバー材６２の円孔の円中心が一致するように取り付けられる。本体６１の円孔と各カバー材６２の円孔とで、固定部材６の挿通孔６０は形成される。
【００３３】
ここで、各カバー材６２の円孔の直径Ｌ３は、配線カバー５の小径部５１の直径Ｌ１よりも少し小さい。そして、本体６１の円孔の直径Ｌ２は、各カバー材６２の円孔の直径Ｌ３及び配線カバー５の小径部５１の直径Ｌ１よりも大きい。
【００３４】
上述した本体６１と各カバー材６２とを一体化して形成される固定部材６は、配線カバー５の小径部５１に嵌め込んだ状態で、容易に抜けにくいものとなっている。そして、固定部材６は、配線カバー５の外周面を傷つけにくいものとなっている。
【００３５】
続いて、上述した機能パネル２の配線４を室内に引き込む施工方法の一例について説明する。
【００３６】
施工者は、機能パネル２を設置する際、配線カバー５の棟側の端部に固定部材６を取り付けた状態で、配線カバー５の棟側の端部から配線４を引き出し、配線４を止水トラップ７１，７２の上方を通過させて連通口８２を通じて屋根下へと引き込ませる。このとき、施工者は、棟包み３を屋根材１から外した状態で作業する。
【００３７】
次いで、施工者は、屋根材１の棟側の端部に棟包み３を固定する。次いで、施工者は、棟包み３の前面部３０と面戸７０との間の距離に合わせて、配線カバー５の棟側の端部における複数の小径部５１のうちのいずれか１つに固定部材６を嵌め込んで取り付ける。なお、この作業は、棟包み３の下方（屋根下地８側）で行ってもよいし、棟包み３の外側（棟包み３よりも軒側）で行ってもよい。
【００３８】
次いで、施工者は、固定部材６を、溝部１０内のうち、棟包み３の前面部３０と面戸７０との間に配置する。このとき、固定部材６の上端部を、棟包み３の前面部３０の折り返し片３２に係止させる。すると、配線カバー５の棟側の端部は、固定部材６によって棟包み３の下方（屋根下地８側）に抜け止めされる。言い換えると、配線カバー５の棟側の端部は、固定部材６によって棟包み３の下方（屋根下地８側）から軒側へ抜け出ることが防止される。
【００３９】
以上のようにして施工される本実施形態の設置構造では、機能パネル２から引き出した配線４は、屋根材１の棟側の端部を覆う棟包み３の下方（屋根下地８側）において屋根下へ引き込まれる。すなわち、本実施形態の設置構造では、機能パネル２から配線４を上方に引き出して、棟包み３の下方（屋根下地８側）にて配線４を屋根下へと引き込ませることができる。これにより、本実施形態の設置構造では、雨水が機能パネル２の配線４を伝って建物の配線４引き込み箇所へと流れることがなく、機能パネル２の配線４を伝って雨水が屋内へ浸入することを抑制できる。
【００４０】
加えて、本実施形態の設置構造によれは、配線４を覆う配線カバー５の棟側の端部を、固定部材６によって棟包み３の下方（屋根下地８側）に抜け止めさせている。そのため、本実施形態の設置構造によれは、配線カバー５の棟側の端部が棟包み３から外れて、配線４が露出して雨水に曝されることを抑制することができる。
【００４１】
また、本実施形態の設置構造では、配線カバー５を、長手方向に沿って大径部５０と小径部５１とを交互に複数備える蛇腹状とし、固定部材６を、配線カバー５の複数の小径部５１のうちのいずれか１つに選択的に嵌め込むようにしている。
【００４２】
そのため、本実施形態の設置構造では、固定部材６よりも棟側に突出する配線カバー５の突出長さを調節することができる。これにより、配線カバー５の軒側の端部の位置を、棟包み３の下方（屋根下地８側）の構造（棟包み３の前面部３０と面戸７０間の軒棟方向の距離等）に合わせて、自在に調整できる。例えば、本実施形態の設置構造によれば、配線カバー５の棟側の最端部に固定部材６を嵌め込むことができるので、棟包み３の前面部３０と面戸７０との間の距離が短くても、配線カバー５の棟側の端部開口を確実に棟包み３の下方（屋根下地８側）に位置固定することができる。
【００４３】
以上、本発明を添付図面に示す実施形態に基づいて説明したが、本発明は上記の実施形態に限定されるものではなく、本発明の意図する範囲内であれば、適宜の設計変更が可能である。
【符号の説明】
【００４４】
１      屋根材
２      機能パネル
３      棟包み
４      配線
５      配線カバー
６      固定部材
１０    溝部
５０    大径部
５１    小径部
【図１】
2014198954.tif 000003
【図２】
2014198954.tif 000004
【図３】
2014198954.tif 000005
【図４】
2014198954.tif 000006